(57)【特許請求の範囲】
【請求項１】
広告管理サーバ、及び所定の場所に設置される広告に付帯される情報コード表示手段を備え、
広告管理サーバには、広告の設置場所、広告主ＩＤ、広告主のＵＲＬ、広告掲載日、及び広告料を含む広告管理情報と、それに対応する広告管理コードとして広告の設置場所に割り当てられた場所コード及び個々の広告に割り当てられた広告コードが登録され、
情報コード表示手段は、場所コード、広告コード及び広告管理サーバのＵＲＬの情報を含む情報コードを表し、
情報コード表示手段から情報コードが携帯端末に読み込まれ、該携帯端末で情報コードの表示がクリックされると広告管理サーバがアクセスされる広告システムであって、
広告管理サーバが、情報コードが携帯端末に読み込まれることによりその携帯端末からアクセスされると、広告管理サーバは、携帯端末から送信された場所コードが該広告管理サーバで管理対象となっているか否かの広告管理情報から場所コードの有効性を判断し、有効と判断された場合に広告コードの有効性を判断する機能、
広告コードが有効と判断された場合に、携帯端末を広告主のＵＲＬに遷移させて携帯端末に通信ネットワーク上の広告主の広告画面を表示させる機能、
携帯端末からアクセスが行われたことを記録する機能、さらに
所定期間における携帯端末からのアクセス数を広告の設置場所ごとに集計し、各広告主について、設置場所ごとの携帯端末からのアクセス数の集計結果を出力すると共に、そのアクセス数に応じた広告料を出力する機能、
を備えた広告システム。
【請求項２】
携帯端末に広告主の広告画面が表示された後、携帯端末の利用者が前記広告画面から広告主の商品又はサービスの申し込みボタンをクリックした場合（以下、このクリックを２段目クリックという）に課金する２段目広告料が広告管理情報に含まれ、
広告管理サーバが、携帯端末の利用者が２段目クリックをした場合に、２段目クリックが行われたことを把握するトラッキング機能、及び
各広告主について、所定期間における２段目クリック数の集計結果と、２段目クリック数に応じた２段目広告料を出力する機能を有する請求項１記載の広告システム。
【請求項３】
広告管理情報に、広告設置場所の提供者の情報（ＩＤ）及びアクセス数に応じて広告設置場所の提供者に還元する広告料還元金の単価が含まれ、
広告管理サーバが、各広告設置場所の各提供者について、広告の設置場所ごとに所定期間における携帯端末からのアクセス数を集計して出力すると共に、そのアクセス数に応じた広告料還元金を出力する機能を有する請求項１又は２記載の広告システム。
【請求項４】
情報コードが二次元コードである請求項１〜３のいずれかに記載の広告システム。
【請求項５】
二次元コードを表示した印刷物が、広告が設置される場所に該広告とは別の印刷物として設けられる請求項４記載の広告システム。
【発明の詳細な説明】
【技術分野】
【０００１】
本発明は、携帯端末を利用した広告システムに関する。
【背景技術】
【０００２】
従来より、看板、立て看板、電柱などへの貼り紙により、人目につくところに広告を設置することがなされている。一方で、看板などの広告面に二次元コードを表示し、携帯端末の利用者がその二次元コードを取得することでＷｅｂページにアクセスすると、広告の内容の詳細な情報や広告主のその他の営業情報を得られるようにする広告方法が普及しており、近年では、広告に付随する二次元コードに携帯端末でアクセスすると、その携帯端末に、携帯端末の現在地と当該広告の内容となっている店舗などの位置情報を同時に表示させることもなされている（特許文献１）。そのため、広告主にとって二次元コードを付した広告の意義が高まっている。
【先行技術文献】
【特許文献】
【０００３】
【特許文献１】特開２００８−１８１５０４号公報
【発明の概要】
【発明が解決しようとする課題】
【０００４】
しかしながら、広告主にとって、広告料を支払って看板などに二次元コード付きの広告を掲載しても、当該広告の効果を把握することは難しい。そのため、広告により得られる効果を十分に把握できない状態で広告に費用を費やすことが余儀なくされている。
【０００５】
これに対し本発明は、広告主が広告効果を正確に把握でき、納得のいく広告活動をできるようにする、新たな広告システムを提供することを目的とする。
【課題を解決するための手段】
【０００６】
本発明者は、有料で設置する看板、貼り紙、建造物や乗り物の壁面、デジタルサイネージ等における広告に二次元コード等の情報コードを付帯させ、携帯端末利用者がその情報コードを読み取ることにより、Ｗｅｂ上の広告主の広告画面が携帯端末に表示されるようにするにあたり、看板、貼り紙等の有料広告を管理する者が運営する広告管理サーバを介在させ、携帯端末からアクセスが行われたことをそのサーバで記録し、集計し、その集計結果を広告主に知らせると、広告主は広告ごとのアクセス数から広告の有効性を判断できるきることを想到し、本発明を完成させた。
【０００７】
即ち、本発明は、広告管理サーバ、及び広告に付帯される情報コード表示手段を備え、
広告管理サーバには、広告の設置場所、広告主ＩＤ、広告主のＵＲＬ、広告掲載日、及び広告料を含む広告管理情報と、それに対応する広告管理コードが登録され、
情報コード表示手段は、広告管理コード及び広告管理サーバのＵＲＬの情報を含む情報コードを表し、
情報コード表示手段から情報コードが携帯端末に読み込まれ、情報コードが携帯端末でクリックされると広告管理サーバがアクセスされる広告システムであって、
広告管理サーバが、情報コードが携帯端末に読み込まれることによりその携帯端末からアクセスされると、携帯端末から送信された広告管理コードを用いて広告管理情報を取り出し、その広告管理コードが広告管理サーバにおける有効性を判断する機能、
有効と判断された場合に、携帯端末を広告主のＵＲＬに遷移させて携帯端末に通信ネットワーク上の広告主の広告画面を表示させる機能、
携帯端末からアクセスが行われたことを記録する機能、さらに
所定期間における携帯端末からのアクセス数を広告の設置場所ごとに集計し、各広告主について、設置場所ごとの携帯端末からのアクセス数の集計結果を出力すると共に、そのアクセス数に応じた広告料を出力する機能、
を備えた広告システムを提供する。
【０００８】
また、本発明は、上述の広告システムにおいて、携帯端末に広告主の広告画面が表示された後、携帯端末の利用者が広告画面から広告主の商品又はサービスの申し込みボタンをクリックした場合（以下、このクリックを２段目クリックという）に、広告管理サーバが、２段目クリックが行われたことを把握するトラッキング機能、及び広告管理サーバが所定期間における２段目クリック数の集計結果と、２段目クリック数に応じた２段目広告料を出力する機能を有する態様を提供する。
【０００９】
加えて、本発明は、上述の広告システムにおいて、広告管理サーバが、広告設置場所の各提供者について、広告の設置場所ごとに所定期間における携帯端末からのアクセス数を集計して出力すると共に、そのアクセス数に応じた広告料還元金を出力する既往を有する態様を提供する。
【００１０】
また、本発明は、上述の広告システムを用いた広告方法であって、広告管理サーバを運営する広告管理者が、各広告主について広告管理サーバから出力される、所定期間における、広告の設置場所ごとの携帯端末からのアクセス数の集計結果を広告主に報告すると共に、そのアクセス数に応じた広告料を広告主に請求する広告方法を提供する。
【発明の効果】
【００１１】
本発明のシステムは、広告管理情報とそれに対応する広告管理コードを登録した広告管理サーバと、広告に付帯される情報コード表示手段とを備え、この情報コード表示手段は、広告管理コードと広告管理サーバのＵＲＬを含む。そこで、広告管理者が情報コード表示手段を広告に付帯させ、広告を見た携帯端末利用者が広告に付帯している情報コードを携帯端末で読み取り、情報コードにより案内されるＵＲＬをクリックして広告管理サーバにアクセスすると、広告管理サーバは、携帯端末からアクセスが行われたことを記録し、アクセス数を集計し、広告主ごとの集計結果を出力する。したがって、広告管理者がこの集計結果を広告主に知らせることにより、広告主は広告効果を正確に知ることができ、積極的に広告活動をすることができる。また、広告料がアクセス数の集計結果に応じて定まるので、広告主は広告料に納得することができる。
【００１２】
特に、本発明において、広告管理サーバが二段目クリックを把握する態様によれば、広告主は、広告効果をより正確に把握することができる。
【００１３】
また、本発明において、広告管理サーバが、広告設置場所の各提供者について広告設置場所ごとのアクセス数を集計する態様によれば、広告設置場所の提供者の土地利用の意識を高めることができる。
【図面の簡単な説明】
【００１４】
【図１】図１は、実施例の広告システムの概略構成図である。
【図２】図２は、実施例の広告システムを利用した広告方法の流れ図である。
【図３】図３は、広告管理サーバにおける処理の流れ図である。
【発明を実施するための形態】
【００１５】
以下、図面を参照しつつ本発明を具体的に説明する。
本システムは、例えば、広告の設置場所提供者から広告管理者が広告の設置場所を借り受け、その場所に有料で広告を設置することを募り、それに応じた広告主が広告の設置を広告管理者に依頼した場合に、広告管理者は二次元コード等の情報コードを広告に付帯させ、広告を見た携帯端末利用者がその情報コードにアクセスすると、広告管理者が運営する広告管理サーバに接続され、広告管理サーバが、携帯端末からのアクセスが、当該広告管理サーバにより管理すべき広告によるアクセスであるかについて有効性を判断し、有効と判断した場合に、携帯端末を広告主の通信ネットワーク上の広告画面に遷移させると共に、携帯端末からのアクセスを記録し、集計し、その結果を広告主や広告の設置場所提供者に還元することを可能とするものである。
【００１６】
図１は、本発明の広告システムの概略構成図である。
この広告システムは、概略、広告管理サーバ１と、二次元コード等の情報コードを表わす情報コード表示手段２からなる。
【００１７】
広告管理サーバ１は、記憶部を有し、通信機能、判断機能及び集計機能を備えたコンピュータで構成され、広告管理サーバ１には、広告管理情報と広告管理情報に対応した広告管理コードが広告管理者によって登録される。
【００１８】
広告管理情報には、少なくとも(i)広告の設置場所に関する情報、(ii)広告主に関する情報、(iii)広告掲載日に関する情報、及び(iv)広告料に関する情報が含まれ、(v)広告の種類や広告における表示内容も含めることが好ましい。
【００１９】
このうち、(i)広告の設置場所に関する情報には、広告を掲載する建造物壁面、自動販売機壁面、電柱、デジタルサイネージ等の設置場所住所、電車、バス、タクシー等の乗り物の内外の壁面を広告掲載場所とする場合の当該乗り物の本拠地、当該広告設置場所において広告の設置が可能な業種の種別、広告設置場所提供者の情報（ＩＤ）、広告設置場所の使用料、当該設置場所に付帯された情報コードによって携帯端末３から広告管理サーバがアクセスされた場合に、そのアクセス数に応じて広告設置場所提供者に支払う広告料還元金の単価等を含めることができる。
【００２０】
(ii)広告主に関する情報には、広告主の住所、氏名、広告主ＩＤ、広告主のＵＲＬ、広告主の業種等を含めることができる。
【００２１】
(iii)広告掲載日に関する情報には、掲載開始日、掲載終了日、広告掲載期間等を含めることができる。
【００２２】
(iv)広告料に関する情報には、広告主に課金する広告掲載基本料、広告に付帯させた情報コードにより携帯端末から広告管理サーバがアクセスされた場合に、そのアクセス数に応じて課金するアクセス単価、携帯端末利用者が、広告管理サーバから遷移した広告主の通信ネットワーク上の広告画面で広告主の商品又はサービスの申し込みを完了した場合に課金される２段目クリック成果単価等を含めることができる。
【００２３】
(v)広告の種類としては、建造物、自動販売機、電柱、乗り物等の壁面を利用する看板、貼り紙、描画、又はデジタルサイネージ等における映像等といった広告方法の種別や、不動産広告、求人広告、商品広告、サービス広告、音楽や演劇の公演広告、ブランディング等の広告内容の種別等を含めることができる。
また、広告の表示内容としては、広告の外観の縮小図等を含めることができる。
【００２４】
なお、この広告システムで扱う広告には、上述のように、建造物、自動販売機、電柱、乗り物等の等を利用した看板、貼り紙、描画やデジタルサイネージ等における映像をあげることができるが、インターネット上に掲載されるＷｅｂ広告は含まれない。不動産広告、求人広告、劇場の案内等の地域性のある広告内容を地域性のある広告媒体で当該地域の人々に案内する点から、建造物、自動販売機、電柱等への看板の設置、張り紙の貼付、所定の場所に設置されたデジタルサイネージにおける映像表示等が好ましい。例えば、図１に示したように、自動販売機の側面を利用した広告紙の貼付による広告であって、広告表示に二次元コード等の情報コードを目立つように付したものをあげることができる。
【００２５】
この他、広告管理情報には、所定期間内に同一携帯端末から同一広告に付帯させた情報コーに基づいて繰り返し広告管理サーバにアクセスがあった場合に、アクセスを制限するときのアクセス制限条件を含めることができる。また、このような繰り返しアクセスがあった場合に、携帯端末の画面を広告主の通信ネットワーク上の広告画面に遷移させるが、この場合のアクセス数を、広告主にアクセス数に応じた広告料を課金する場合のアクセス数には含めない二重課金防止設定や、二重課金防止設定を作動させる場合の条件を広告管理情報に含めても良い。
【００２６】
一方、広告管理コードは、広告管理情報に基づいて当該広告の設置場所における広告を特定することのできるコードである。広告管理コードとしては、広告の設置場所に割り当てた場所コード、広告管理サーバが管理する個々の広告に割り当てた広告コード等を使用することができる。
【００２７】
広告管理サーバ１は、広告管理コードと広告管理サーバのＵＲＬの情報を含む情報コードを携帯端末からのアクセスにより取得すると、その情報コードから広告管理コードを読み取り、広告管理情報を参照する機能を有する。
【００２８】
また、広告管理サーバ１は、携帯端末からのアクセスにより取得した情報コードから、当該情報コードに対応する広告の当該管理サーバにおける有効性を、例えば、後述する判断フローにより判断する判断機能を有する。さらに、広告管理サーバ１は、後述するフローにしたがって、アクセス数を集計し、アクセス数に応じて課金し、アクセス数の集計結果や課金状況を出力するレポート作成機能を有する。
【００２９】
一方、情報コード表示手段２は、上述の広告管理情報に対応する広告管理コードと、広告管理サーバのＵＲＬの情報を含む情報コードを表す手段である。この情報コードは、広告管理者が発行する。
【００３０】
情報コード表示手段２は、情報コードを広告に付帯させることができ、かつ携帯端末による情報コードの読み取りを可能とするものである。したがって、情報コード表示手段２としては、例えば、図形パターンとして情報を表す二次元コードを表示する手段、音声認識により情報コードの取得を可能とする音声出力手段、ＩＣカード等で利用されている電波による情報コードの発信手段等をあげることができる。中でも、容易に情報コードを広告に付帯させることができる点で二次元コードの表示手段が好ましい。
【００３１】
二次元コードの表示手段の具体例としては、広告表示が、看板、貼り紙、描画等でなされる場合に、広告表示内に二次元コードも表示させたものとすることができる。また、広告表示とは別に、二次元コードを表示した印刷物を情報コード表示手段として使用してもよい。この場合には、二次元コードを表示した印刷物を、広告の表示物に貼着することにより、情報コードを広告に付帯させることができる。広告が、デジタルサイネージで映像によって表示される場合、当該広告映像の表示時間中に映像の一部に常に二次元コードが表示されるようにしたものを情報コード表示手段とすることができる。
【００３２】
図２は、この広告管理システムを使用した広告方法の流れ図である。以下、図２に付した符号にしたがってこの流れを説明する。
(1)この広告管理システムの使用に際しては、まず、上述の広告管理情報のうち、広告主の依頼により定まる事項以外について、広告管理者が広告管理サーバ１に登録する。ここでの登録事項として、例えば、設置場所に関する情報等をあげることができる。
【００３３】
(2)広告管理者が広告主から広告を受注すると、広告管理者は広告管理サーバ１に、広告主に関する情報、広告掲載日に関する情報、広告の種類、個別に合意した広告料に関する情報などを登録する。
【００３４】
(3)次に広告管理者は、広告管理コードと広告管理サーバのＵＲＬ情報を含む情報コードを発行する。なお、この情報コードの発行機能を広告管理サーバに担わせてもよい。
【００３５】
(4)広告管理者は、広告を作製すると共に、その広告に上述の情報コードを付帯させ、それを所定の広告設置場所に設置する。
【００３６】
(5)所定の広告設置場所に設置した広告を携帯端末利用者が目にし、その広告に関心を抱き、広告に付帯されている情報コードを携帯端末３で読み取る。
【００３７】
(6)携帯端末利用者が、携帯端末３に表示された情報コードをクリックすると、広告管理サーバがアクセスされる。広告管理サーバ１は、携帯端末３から送信された情報コードから広告管理コードを読み出し、広告管理サーバに登録されている広告管理情報を広告管理コードによって取り出し、アクセスされた情報コードに含まれた広告管理コードの広告管理サーバにおける有効性を判断する機能を有する。この判断は、例えば、図３に示した流れで行うことができる。
【００３８】
図３は、情報コードとして二次元コードを使用し、また、広告管理コードとして、広告の設置場所をコード化した場所コードと、広告主や広告掲載期間等に関する情報をコード化した広告コードを使用した場合において、広告管理サーバにおける判断の流れを示している。
【００３９】
即ち、広告管理サーバは、二次元コードにより携帯端末からアクセスを受けると、二次元コードから広告管理サーバ上にある場所コードと広告コードを取得し、場所コードが広告管理サーバで管理対象となっているか否かを判断し、管理から外れている場合にはそこで処理を終了する。したがって、携帯端末の画面が、二次元コードをクリックした画面から、広告主の通信ネットワーク上の広告画面に遷移することはない。これに対し、場所コードが広告管理サーバの管理対象に含まれている場合には、二次元コードから複合化した広告コードが広告管理サーバで管理対象となっているか否かを判断する。
【００４０】
広告管理サーバは、広告コードの判断において、それが広告管理サーバで管理対象から外れていた場合には、そこで処理を終了する。これに対し、広告コードが広告管理サーバの管理対象に含まれていた場合には、広告掲載期間を判断する。そしてそれが広告掲載期間の範囲外であった場合には、処理を終了する。なお、これらの場合においても、処理を終了したときには、携帯端末の画面が、二次元コードをクリックした画面から、広告主の通信ネットワーク上の広告画面に遷移することはない。これに対し、広告掲載期間の範囲内であった場合には、二重課金防止設定の有無を判断する。
【００４１】
(7-1)二重課金防止設定が無い場合には、当該アクセスを、アクセス数に応じて広告主に広告料を課金する場合のアクセスとして加算し、携帯端末の画面を通信ネットワーク上の広告主のホームページなどの広告画面に遷移させる。
【００４２】
これに対し、二重課金防止設定がされている場合には、二重課金防止を作動させる条件に該当するか否かを判断する。そして、その条件から外れる場合には、当該アクセスを、アクセス数に応じて広告主に広告料を課金する場合のアクセスとして加算し、携帯端末の画面を通信ネットワーク上の広告主のホームページ等の広告画面に遷移させる。これに対し、二重課金防止設定を作動させる条件が満たされる場合には、当該アクセスを、アクセス数に応じて広告料を課金する場合のアクセス数に含めることなく、携帯端末の画面を通信ネットワーク上の広告主の広告画面に遷移させる。
【００４３】
(7-2)以上の広告管理サーバにおける判断を経て、携帯端末を通信ネットワーク上の広告主の広告画面に遷移させる場合、広告管理サーバは、遷移先のＵＲＬを携帯端末に通知する。
【００４４】
(8)広告主の広告画面に遷移した画面において、携帯端末利用者は広告主の商品又はサービスの申し込みボタンをクリック（２段目クリック）することがある。
【００４５】
(9)２段目クリックが行われ、申し込みが完了すると、申し込み完了の事実がトラッキング機能により広告管理サーバに通知される。そこで、広告管理サーバは、２段目クリックのクリック数に応じて広告料を課金できるように、２段目クリックが行われたことを記録し、課金処理する。
【００４６】
なお、２段目クリックに伴う課金処理に関し、広告管理サーバは、図３に示したように、申し込み完了通知があると、２段目クリックに基づく２段目広告料が設定されているか否かを判断し、２段目クリックが課金対象である場合にのみ２段目クリック成果単価と２段目クリック数に基づく課金処理を行う。
【００４７】
(10)広告管理サーバは、所定期間における携帯端末からのアクセス数を、設置場所ごと、及び広告主ごとに集計し、各広告主について、設置場所ごとの携帯端末からのアクセス数を集計し、その集計結果を出力することができる。また、アクセス数に応じて広告料を課金し、トータルの広告料を出力することができる。さらに、２段目クリックの件数も集計して出力することができ、２段目クリックに基づく２段目広告料が設定されている場合には、２段目クリックに基づく課金も集計して出力することができる。これらの出力内容はレポートとして、広告主ごとに出力される。
【００４８】
また、広告管理サーバは、アクセス及び２段目クリック数の集計結果を、広告設置場所提供者ごとに出力することができ、アクセス数に応じて広告設置場所提供者に支払う広告料還元金も集計して出力することができる。これらの出力内容は、広告設置場所提供者向けのレポートとして出力される。
【００４９】
(11)広告管理者は、広告管理サーバから出力されたレポートに基づいて広告主に、アクセス数に基づく課金を含めて広告料を請求することができ、さらに当該広告主において２段目広告料が設定されている場合には２段目クリック数に基づく課金も含めて広告料を請求することができる。広告主は、レポートと共に広告料の請求を受けるので、広告効果を確認して広告料を支払うことができる。
【００５０】
(12)広告管理者は、広告管理サーバが、広告設置場所提供者向けに出力したレポートに基づいて、広告設置場所提供者に広告設置場所での広告のアクセス状況を報告することができ、また、アクセス数に応じて広告料還元金が設定されている場合には、その還元金の支払いを行う。したがって、広告主設定場所提供者は、広告設置場所としての効果を確認しつつ広告設置場所を提供することができる。
【００５１】
このように、この広告システムによれば、広告主は広告効果を広告管理サーバが出力するレポートで確認することができ、また、広告場所提供者は広告場所としての有効性を、広告管理サーバが出力するレポートで確認することができる。
【符号の説明】
【００５２】
１  広告管理サーバ
２  情報コード表示手段
３  携帯端末
【要約】
【課題】広告主が広告効果を正確に把握することのできる、新たな広告システムを提供する。
【解決手段】広告システムが、広告管理サーバと、広告に付帯させる情報コード表示手段を備える。広告管理サーバには、広告の設置場所、広告主ＩＤ、広告主のＵＲＬ、広告掲載日、及び広告料を含む広告管理情報と、それに対応する広告管理コードとが登録される。情報コード表示手段は、広告管理コード及び広告管理サーバのＵＲＬの情報を含む情報コードを表す。情報コードが携帯端末に読み込まれてクリックされると広告管理サーバがアクセスされる。広告管理サーバは、このアクセスの有効性を判断し、有効の場合に携帯端末に通信ネットワーク上の広告主の広告画面を表示させると共に、携帯端末からアクセスが行われたことを広告管理サーバに記録する。広告管理サーバは、所定期間におけるアクセス数を広告の設置場所ごとに集計し、アクセス数に応じた広告料を出力する。
【選択図】図１【図２】
0005482884.tif 000002
【図３】
0005482884.tif 000003
【図１】
0005482884.tif 000004